【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】  単離された核酸分子であって、以下：
（ａ）ＳＥＱ  ＩＤ  ＮＯ：１のポリヌクレオチドフラグメント、またはＡＴＣＣ受託番号２０９６６６に含まれるｃＤＮＡ配列のポリヌクレオチドフラグメント；
（ｂ）ＳＥＱ  ＩＤ  ＮＯ：２のポリペプチドフラグメントをコードするポリヌクレオチド、またはＡＴＣＣ受託番号２０９６６６に含まれるそのｃＤＮＡ配列；
（ｃ）ＳＥＱ  ＩＤ  ＮＯ：２の保存されたポリペプチドドメインＩをコードするポリヌクレオチド、またはＡＴＣＣ受託番号２０９６６６に含まれるそのｃＤＮＡ配列；
（ｄ）ＳＥＱ  ＩＤ  ＮＯ：２の保存されたポリペプチドドメインＩＩをコードするポリヌクレオチド、またはＡＴＣＣ受託番号２０９６６６に含まれるそのｃＤＮＡ配列；
（ｅ）ＳＥＱ  ＩＤ  ＮＯ：２の保存されたポリペプチドドメインＩＩＩをコードするポリヌクレオチド、またはＡＴＣＣ受託番号２０９６６６に含まれるそのｃＤＮＡ配列；
（ｆ）ＳＥＱ  ＩＤ  ＮＯ：２の保存されたポリペプチドドメインＩＶをコードするポリヌクレオチド、またはＡＴＣＣ受託番号２０９６６６に含まれるそのｃＤＮＡ配列；
（ｇ）ＳＥＱ  ＩＤ  ＮＯ：２のポリペプチドエピトープをコードするポリヌクレオチド、またはＡＴＣＣ受託番号２０９６６６に含まれるそのｃＤＮＡ配列；
（ｈ）生物学的活性を有する、ＳＥＱ  ＩＤ  ＮＯ：２のポリペプチドをコードするポリヌクレオチド、またはＡＴＣＣ受託番号２０９６６６に含まれるそのｃＤＮＡ配列；
（ｉ）ＳＥＱ  ＩＤ  ＮＯ：１の改変体であるポリヌクレオチド；
（ｊ）ＳＥＱ  ＩＤ  ＮＯ：１の対立遺伝子改変体であるポリヌクレオチド；
（ｋ）アミノ酸配列がＳＥＱ  ＩＤ  ＮＯ：２に示されるポリペプチドの種ホモログをコードするポリヌクレオチド；
（ｌ）ストリンジェントな条件下で、（ａ）、（ｂ）、（ｃ）、（ｄ）、（ｅ）、（ｆ）、（ｇ）、（ｈ）、（ｉ）、（ｊ）または（ｋ）において特定されるポリヌクレオチドのうちのいずれか１つにハイブリダイズし得るポリヌクレオチドであって、ここで該ポリヌクレオチドは、ストリンジェントな条件下でＡ残基のみのヌクレオチド配列またはＴ残基のみのヌクレオチド配列を有する核酸分子にはハイブリダイズしない、ポリヌクレオチド；および
（ｍ）（ａ）、（ｂ）、（ｃ）、（ｄ）、（ｅ）、（ｆ）、（ｇ）、（ｈ）、（ｉ）、（ｊ）、（ｋ）または（ｌ）において特定されるポリヌクレオチドのうちのいずれか１つの相補体であるポリヌクレオチド、
からなる群より選択される配列と少なくとも９５％同一のヌクレオチド配列を有するポリヌクレオチドを含む、核酸分子。
【請求項２】  単離された核酸分子であって、以下：
（ａ）ＳＥＱ  ＩＤ  ＮＯ：２９のポリヌクレオチドフラグメント；
（ｂ）ＳＥＱ  ＩＤ  ＮＯ：２９のポリペプチドフラグメントをコードするポリヌクレオチド；
（ｃ）ＳＥＱ  ＩＤ  ＮＯ：２９の保存されたポリペプチドドメインＩをコードするポリヌクレオチド；
（ｄ）ＳＥＱ  ＩＤ  ＮＯ：２９の保存されたポリペプチドドメインＩＩをコードするポリヌクレオチド；
（ｅ）ＳＥＱ  ＩＤ  ＮＯ：２９の保存されたポリペプチドドメインＩＩＩをコードするポリヌクレオチド；
（ｆ）ＳＥＱ  ＩＤ  ＮＯ：２９の保存されたポリペプチドドメインＩＶをコードするポリヌクレオチド；
（ｇ）ＳＥＱ  ＩＤ  ＮＯ：２９の保存されたポリペプチドドメインＶをコードするポリヌクレオチド；
（ｈ）ＳＥＱ  ＩＤ  ＮＯ：２９の保存されたポリペプチドドメインＶＩをコードするポリヌクレオチド；
（ｉ）ＳＥＱ  ＩＤ  ＮＯ：２９の保存されたポリペプチドドメインＶＩＩをコードするポリヌクレオチド；
（ｊ）ＳＥＱ  ＩＤ  ＮＯ：２９のポリペプチドエピトープをコードするポリヌクレオチド；
（ｋ）生物学的活性を有する、ＳＥＱ  ＩＤ  ＮＯ：２９のポリペプチドをコードするポリヌクレオチド；
（ｌ）ＳＥＱ  ＩＤ  ＮＯ：２９の改変体であるポリヌクレオチド；
（ｍ）ＳＥＱ  ＩＤ  ＮＯ：２９の対立遺伝子改変体であるポリヌクレオチド；
（ｎ）アミノ酸配列がＳＥＱ  ＩＤ  ＮＯ：２９に示されるポリペプチドの種ホモログをコードするポリヌクレオチド；
（ｏ）ストリンジェントな条件下で、（ａ）、（ｂ）、（ｃ）、（ｄ）、（ｅ）、（ｆ）、（ｇ）、（ｈ）、（ｉ）、（ｊ）、（ｋ）、（ｌ）、（ｍ）または（ｎ）において特定されるポリヌクレオチドのうちのいずれか１つにハイブリダイズし得るポリヌクレオチドであって、ここで該ポリヌクレオチドは、ストリンジェントな条件下でＡ残基のみのヌクレオチド配列またはＴ残基のみのヌクレオチド配列を有する核酸分子にはハイブリダイズしない、ポリヌクレオチド；および
（ｐ）（ａ）、（ｂ）、（ｃ）、（ｄ）、（ｅ）、（ｆ）、（ｇ）、（ｈ）、（ｉ）、（ｊ）、（ｋ）、（ｌ）、（ｍ）、（ｎ）または（ｏ）において特定されるポリヌクレオチドのうちのいずれか１つの相補体であるポリヌクレオチド、からなる群より選択される配列と少なくとも９５％同一のヌクレオチド配列を有するポリヌクレオチドを含む、核酸分子。
【請求項３】  単離された核酸分子であって、以下：
（ａ）ＳＥＱ  ＩＤ  ＮＯ：３のポリヌクレオチドフラグメント、またはＡＴＣＣ受託番号２０９６６５に含まれるｃＤＮＡ配列のポリヌクレオチドフラグメント；
（ｂ）ＳＥＱ  ＩＤ  ＮＯ：４のポリペプチドフラグメントをコードするポリヌクレオチド、またはＡＴＣＣ受託番号２０９６６５に含まれるそのｃＤＮＡ配列；
（ｃ）ＳＥＱ  ＩＤ  ＮＯ：４の保存されたポリペプチドドメインＩをコードするポリヌクレオチド、またはＡＴＣＣ受託番号２０９６６５に含まれるそのｃＤＮＡ配列；
（ｄ）ＳＥＱ  ＩＤ  ＮＯ：４の保存されたポリペプチドドメインＩＩをコードするポリヌクレオチド、またはＡＴＣＣ受託番号２０９６６５に含まれるそのｃＤＮＡ配列；
（ｅ）ＳＥＱ  ＩＤ  ＮＯ：４の保存されたポリペプチドドメインＩＩＩをコードするポリヌクレオチド、またはＡＴＣＣ受託番号２０９６６５に含まれるそのｃＤＮＡ配列；
（ｆ）ＳＥＱ  ＩＤ  ＮＯ：４の保存されたポリペプチドドメインＩＶをコードするポリヌクレオチド、またはＡＴＣＣ受託番号２０９６６５に含まれるそのｃＤＮＡ配列；
（ｇ）ＳＥＱ  ＩＤ  ＮＯ：４のポリペプチドエピトープをコードするポリヌクレオチド、またはＡＴＣＣ受託番号２０９６６５に含まれるそのｃＤＮＡ配列；
（ｈ）生物学的活性を有する、ＳＥＱ  ＩＤ  ＮＯ：４のポリペプチドをコードするポリヌクレオチド、またはＡＴＣＣ受託番号２０９６６５に含まれるそのｃＤＮＡ配列；
（ｉ）ＳＥＱ  ＩＤ  ＮＯ：３の改変体であるポリヌクレオチド；
（ｊ）ＳＥＱ  ＩＤ  ＮＯ：３の対立遺伝子改変体であるポリヌクレオチド；
（ｋ）アミノ酸配列がＳＥＱ  ＩＤ  ＮＯ：４に示されるポリペプチドの種ホモログをコードするポリヌクレオチド；
（ｌ）ストリンジェントな条件下で、（ａ）、（ｂ）、（ｃ）、（ｄ）、（ｅ）、（ｆ）、（ｇ）、（ｈ）、（ｉ）、（ｊ）または（ｋ）において特定されるポリヌクレオチドのうちのいずれか１つにハイブリダイズし得るポリヌクレオチドであって、ここで該ポリヌクレオチドは、ストリンジェントな条件下でＡ残基のみのヌクレオチド配列またはＴ残基のみのヌクレオチド配列を有する核酸分子にはハイブリダイズしない、ポリヌクレオチド；および
（ｍ）（ａ）、（ｂ）、（ｃ）、（ｄ）、（ｅ）、（ｆ）、（ｇ）、（ｈ）、（ｉ）、（ｊ）、（ｋ）または（ｌ）において特定されるポリヌクレオチドのうちのいずれか１つの相補体であるポリヌクレオチド、
からなる群より選択される配列と少なくとも９５％同一のヌクレオチド配列を有するポリヌクレオチドを含む、核酸分子。
【請求項４】  前記ポリヌクレオチドフラグメントが、成熟形態または分泌タンパク質をコードするヌクレオチド配列を含む、請求項１に記載の単離された核酸分子。
【請求項５】  前記ポリヌクレオチドフラグメントが、成熟形態または分泌タンパク質をコードするヌクレオチド配列を含む、請求項２に記載の単離された核酸分子。
【請求項６】  前記ポリヌクレオチドフラグメントが、成熟形態または分泌タンパク質をコードするヌクレオチド配列を含む、請求項３に記載の単離された核酸分子。
【請求項７】  前記ポリヌクレオチドフラグメントが、ＳＥＱ  ＩＤ  ＮＯ：２として同定される配列をコードするヌクレオチド配列、またはＡＴＣＣ受託番号２０９６６６に含まれるコード配列を含む、請求項１に記載の単離された核酸分子。
【請求項８】  前記ポリヌクレオチドフラグメントが、ＳＥＱ  ＩＤ  ＮＯ：２８として同定される配列をコードするヌクレオチド配列を含む、請求項２に記載の単離された核酸分子。
【請求項９】  前記ポリヌクレオチドフラグメントが、ＳＥＱ  ＩＤ  ＮＯ：４として同定される配列をコードするヌクレオチド配列、またはＡＴＣＣ受託番号２０９６６５に含まれるコード配列を含む、請求項３に記載の単離された核酸分子。
【請求項１０】  前記ポリヌクレオチドフラグメントが、ＳＥＱ  ＩＤ  ＮＯ：１のヌクレオチド配列全体、またはＡＴＣＣ受託番号２０９６６６に含まれるｃＤＮＡ配列を含む、請求項１に記載の単離された核酸分子。
【請求項１１】  前記ポリヌクレオチドフラグメントがＳＥＱ  ＩＤ  ＮＯ：２８のヌクレオチド配列全体を含む、請求項２に記載の単離された核酸分子。
【請求項１２】  前記ポリヌクレオチドフラグメントが、ＳＥＱ  ＩＤ  ＮＯ：３のヌクレオチド配列全体、またはＡＴＣＣ受託番号２０９６６５に含まれるそのｃＤＮＡ配列を含む、請求項３に記載の単離された核酸分子。
【請求項１３】  前記ヌクレオチド配列が、Ｃ末端またはＮ末端のいずれかからの連続的なヌクレオチド欠失を含む、請求項５に記載の単離された核酸分子。
【請求項１４】  前記ヌクレオチド配列が、Ｃ末端またはＮ末端のいずれかからの連続的なヌクレオチド欠失を含む、請求項８に記載の単離された核酸分子。
【請求項１５】  請求項２に記載の単離された核酸分子を含む、組換えベクター。
【請求項１６】  請求項１に記載の単離された核酸分子を含む組換え宿主細胞を作製する、方法。
【請求項１７】  請求項２に記載の単離された核酸分子を含む組換え宿主細胞を作製する、方法。
【請求項１８】  請求項３に記載の単離された核酸分子を含む組換え宿主細胞を作製する、方法。
【請求項１９】  請求項１６に記載の方法によって産生された、組換え宿主細胞。
【請求項２０】  請求項１７に記載の方法によって産生された、組換え宿主細胞。
【請求項２１】  請求項１８に記載の方法によって産生された、組換え宿主細胞。
【請求項２２】  ベクター配列を含む、請求項１９に記載の組換え宿主細胞。
【請求項２３】  ベクター配列を含む、請求項２０に記載の組換え宿主細胞。
【請求項２４】  ベクター配列を含む、請求項２１に記載の組換え宿主細胞。
【請求項２５】  単離されたポリペプチドであって、以下：
（ａ）ＳＥＱ  ＩＤ  ＮＯ：２のポリペプチドフラグメント、またはＡＴＣＣ受託番号２０９６６６に含まれるコード配列；
（ｂ）生物学的活性を有する、ＳＥＱ  ＩＤ  ＮＯ：２のポリペプチドフラグメント、またはＡＴＣＣ受託番号２０９６６６に含まれるコード配列；
（ｃ）ＳＥＱ  ＩＤ  ＮＯ：２のポリペプチドドメイン、またはＡＴＣＣ受託番号２０９６６６に含まれるコード配列；
（ｄ）ＳＥＱ  ＩＤ  ＮＯ：２のポリペプチドエピトープ、またはＡＴＣＣ受託番号２０９６６６に含まれるコード配列；
（ｅ）分泌タンパク質の成熟形態；
（ｆ）全長分泌タンパク質；
（ｇ）ＳＥＱ  ＩＤ  ＮＯ：２の改変体；
（ｈ）ＳＥＱ  ＩＤ  ＮＯ：２の対立遺伝子改変体；および
（ｉ）ＳＥＱ  ＩＤ  ＮＯ：２の種ホモログ、
からなる群より選択される配列に対して少なくとも９５％同一なアミノ酸配列を含む、ポリペプチド。
【請求項２６】  単離されたポリペプチドであって、以下：
（ａ）ＳＥＱ  ＩＤ  ＮＯ：２９のポリペプチドフラグメント；
（ｂ）生物学的活性を有する、ＳＥＱ  ＩＤ  ＮＯ：２９のポリペプチドフラグメント；
（ｃ）ＳＥＱ  ＩＤ  ＮＯ：２９のポリペプチドドメイン；
（ｄ）ＳＥＱ  ＩＤ  ＮＯ：２９のポリペプチドエピトープ；
（ｅ）ＳＥＱ  ＩＤ  ＮＯ：２９の分泌タンパク質の成熟形態；
（ｆ）ＳＥＱ  ＩＤ  ＮＯ：２９の全長分泌タンパク質；
（ｇ）ＳＥＱ  ＩＤ  ＮＯ：２９の改変体；
（ｈ）ＳＥＱ  ＩＤ  ＮＯ：２９の対立遺伝子改変体；および
（ｉ）ＳＥＱ  ＩＤ  ＮＯ：２９の種ホモログ、
からなる群より選択される配列に対して少なくとも９５％同一なアミノ酸配列を含む、ポリペプチド。
【請求項２７】  単離されたポリペプチドであって、以下：
（ａ）ＳＥＱ  ＩＤ  ＮＯ：４のポリペプチドフラグメント、またはＡＴＣＣ受託番号２０９６６５に含まれるそのコード配列；
（ｂ）生物学的活性を有する、ＳＥＱ  ＩＤ  ＮＯ：４のポリペプチドフラグメント、またはＡＴＣＣ受託番号２０９６６５に含まれるコード配列；
（ｃ）ＳＥＱ  ＩＤ  ＮＯ：４のポリペプチドドメイン、またはＡＴＣＣ受託番号２０９６６５に含まれるコード配列；
（ｄ）ＳＥＱ  ＩＤ  ＮＯ：４のポリペプチドエピトープ、またはＡＴＣＣ受託番号２０９６６５に含まれるコード配列；
（ｅ）分泌タンパク質の成熟形態；
（ｆ）全長分泌タンパク質；
（ｇ）ＳＥＱ  ＩＤ  ＮＯ：４の改変体；
（ｈ）ＳＥＱ  ＩＤ  ＮＯ：４の対立遺伝子改変体；および
（ｉ）ＳＥＱ  ＩＤ  ＮＯ：４の種ホモログ、
からなる群より選択される配列に対して少なくとも９５％同一なアミノ酸配列を含む、ポリペプチド。
【請求項２８】  前記成熟形態または前記全長分泌タンパク質が、Ｃ末端またはＮ末端のいずれかからの連続的なアミノ酸欠失を含む、請求項２６に記載の単離されたポリペプチド。
【請求項２９】  請求項２６に記載の単離されたポリペプチドに特異的に結合する、単離された抗体。
【請求項３０】  請求項２５に記載の単離されたポリペプチドを発現する、組換え宿主細胞。
【請求項３１】  請求項２６に記載の単離されたポリペプチドを発現する、組換え宿主細胞。
【請求項３２】  請求項２７に記載の単離されたポリペプチドを発現する、組換え宿主細胞。
【請求項３３】  単離されたポリペプチドを作製する方法であって、以下：
（ａ）該ポリペプチドが発現されるような条件下で、請求項３０に記載の組換え宿主細胞を培養する工程；および
（ｂ）該ポリペプチドを収集する工程、
を包含する、方法。
【請求項３４】  単離されたポリペプチドを作製する方法であって、以下：
（ａ）該ポリペプチドが発現されるような条件下で、請求項３１に記載の組換え宿主細胞を培養する工程；および
（ｂ）該ポリペプチドを収集する工程、
を包含する、方法。
【請求項３５】  単離されたポリペプチドを作製する方法であって、以下：
（ａ）該ポリペプチドが発現されるような条件下で、請求項３２に記載の組換え宿主細胞を培養する工程；および
（ｂ）該ポリペプチドを収集する工程、
を包含する、方法。
【請求項３６】  請求項３４に記載の方法により生成される、ポリペプチド。
【請求項３７】  医学的状態を予防、処置、または改善するための組成物であって、治療的有効量の請求項２６に記載のポリペプチドを含む、組成物。
【請求項３８】  分泌タンパク質の発現または活性に関連した病理学的状態または病理学的状態に対する感受性を診断する方法であって、以下：
（ａ）生物学的サンプルを得る工程；
（ｂ）該生物学的サンプル中での、請求項２に記載のポリヌクレオチドにおける変異の存在または非存在を決定する工程；
（ｃ）該変異の存在または非存在に基いて、病理学的状態または病理学的状態に対する感受性を診断する工程、
を包含する、方法。
【請求項３９】  分泌タンパク質の発現または活性に関連した病理学的状態または病理学的状態に対する感受性を診断する方法であって、以下：
（ａ）生物学的サンプルを得る工程；
（ｂ）該生物学的サンプルにおける請求項２６に記載のポリペプチドの発現の存在または量を決定する工程；
（ｃ）該ポリペプチドの発現の存在または量に基いて、病理学的状態または病理学的状態に対する感受性を診断する工程、
を包含する、方法。
【請求項４０】  請求項２６に記載のポリペプチドに対する結合パートナー同定するための方法であって、以下：
（ａ）請求項２６に記載のポリペプチドを結合パートナーと接触させる工程；および
（ｂ）該結合パートナーが、該ポリペプチドの活性を果たすか否かを決定する工程、
を包含する、方法。
【請求項４１】  ＳＥＱ  ＩＤ  ＮＯ：１のｃＤＮＡ配列に対応する、遺伝子。
【請求項４２】  ＳＥＱ  ＩＤ  ＮＯ：２８のｃＤＮＡ配列に対応する、遺伝子。
【請求項４３】  ＳＥＱ  ＩＤ  ＮＯ：３のｃＤＮＡ配列に対応する、遺伝子。
【請求項４４】  生物学的アッセイにおける活性を同定する方法であって、該方法が、以下の工程：
（ａ）細胞中でＳＥＱ  ＩＤ  ＮＯ：１を発現させる工程；
（ｂ）上清を単離する工程；
（ｃ）生物学的アッセイにおける活性を検出する工程；および
（ｄ）該活性を有する上清において、タンパク質を同定する工程、
を包含する、方法。
【請求項４５】  生物学的アッセイにおける活性を同定する方法であって、該方法が、以下の工程：
（ａ）細胞中でＳＥＱ  ＩＤ  ＮＯ：２８を発現させる工程；
（ｂ）上清を単離する工程；
（ｃ）生物学的アッセイにおける活性を検出する工程；および
（ｄ）該活性を有する上清において、タンパク質を同定する工程、
を包含する、方法。
【請求項４６】  生物学的アッセイにおける活性を同定する方法であって、該方法が、以下の工程：
（ａ）細胞中でＳＥＱ  ＩＤ  ＮＯ：３を発現させる工程；
（ｂ）上清を単離する工程；
（ｃ）生物学的アッセイにおける活性を検出する工程；および
（ｄ）該活性を有する上清において、タンパク質を同定する工程、
を包含する、方法。
【請求項４７】  請求項４４に記載の方法によって生成される、産物。
【請求項４８】  請求項４５に記載の方法によって生成される、産物。
【請求項４９】  請求項４６に記載の方法によって生成される、産物。
【請求項５０】  以下の（ａ）〜（ｄ）：
（ａ）配列番号２９のアミノ酸１〜１９７を含むポリペプチドをコードするポリヌクレオチド；
（ｂ）配列番号２９のアミノ酸３４〜１９７を含むポリペプチドをコードするポリヌクレオチド；
（ｃ）ＡＴＣＣ受託番号ＰＴＡ−６９のｃＤＮＡによってコードされる全長ＩＬ−２１ポリペプチドをコードするポリヌクレオチド；
（ｄ）ＡＴＣＣ受託番号ＰＴＡ−６９のｃＤＮＡによってコードされる、そのシグナル配列を含まない、ＩＬ−２１ポリペプチドをコードするポリヌクレオチド；
からなる群より選択されるヌクレオチド配列を有するポリヌクレオチドを含む、単離された核酸分子。
【請求項５１】  前記ヌクレオチドが、ＤＮＡである、請求項５０に記載の単離された核酸分子。
【請求項５２】  前記ヌクレオチドが、ＲＮＡである、請求項５０に記載の単離された核酸分子。
【請求項５３】  異種ポリヌクレオチドに融合された、請求項５０〜５２のいずれか１項に記載の単離された核酸分子。
【請求項５４】  前記異種ポリヌクレオチドが異種ポリペプチドをコードする、請求項５３に記載の単離された核酸分子。
【請求項５５】  請求項５０〜５４のいずれか１項に記載の核酸分子を含む、組換えベクター。
【請求項５６】  前記ポリヌクレオチドが発現制御配列に作動可能に連結しており、原核生物宿主細胞または真核生物宿主細胞における発現を可能にする、請求項５５に記載の組換えベクター。
【請求項５７】  請求項５５または５６に記載のベクターで遺伝子操作した、組換え宿主細胞。
【請求項５８】  原核細胞、真核細胞、細菌細胞、昆虫細胞、Ｅ．ｃｏｌｉ細胞、Ｓｆ９細胞、COS細胞、ＣＨＯ、真菌細胞、または酵母細胞である、請求項５７に記載の組換え宿主細胞。
【請求項５９】  請求項５７または請求項５８に記載の宿主細胞を培養する工程および前記ポリヌクレオチドによってコードされるポリペプチドを回収する工程
を包含する、ポリペプチドを産生するためのプロセス。
【請求項６０】  請求項５０〜５４のうちいずれか１項に記載の核酸分子によってコードされるアミノ酸配列列または請求項５９に記載のプロセスによって得られるアミノ酸配列を含む、ポリペプチド。
【請求項６１】  以下の（ａ）〜（ｄ）：
（ａ）配列番号２９のアミノ酸１〜１９７；
（ｂ）配列番号２９のアミノ酸３４〜１９７；
（ｃ）ＡＴＣＣ受託番号ＰＴＡ−６９のｃＤＮＡによってコードされる全長ＩＬ−２１のアミノ酸配列；
（ｄ）ＡＴＣＣ受託番号ＰＴＡ−６９のｃＤＮＡによってコードされる、そのシグナル配列を含まない、ＩＬ−２１のアミノ酸配列；
からなる群より選択されるアミノ酸配列を含む、単離されたポリペプチド。
【請求項６２】  標識されるか、改変されるか、またはポリエチレングリコールに融合された、請求項６０または６１に記載のポリペプチド。
【請求項６３】  異種ポリペプチドに融合された、請求項６０〜６２のいずれか１項に記載のポリペプチド。
【請求項６４】  請求項５０〜５２のいずれかに１項に記載の核酸分子によってコードされたポリペプチドまたは請求項６１に記載のポリペプチドのいずれかに特異的に結合する、単離された抗体またはそのフラグメント。
【請求項６５】  細胞によって分泌されたＩＬ−２１タンパク質に特異的に結合する、単離された抗体またはそれらのフラグメントであって、該細胞が、請求項５０〜５２のいずれか１項に記載の核酸分子または請求項６１に記載のポリペプチドを含む、単離された抗体またはそれらのフラグメント。
【請求項６６】  ポリクローナル抗体、モノクローナル抗体、キメラ抗体、単鎖抗体、ヒト化抗体またはＦａｂフラグメントである、請求項６４または６５に記載の単離された抗体。